(57)【要約】【課題】本来の把持部分におけるグリップ部の滑り止め効果は保ちつつ、口金部分を把持する場合においても滑り止め効果を有し、かつ、口金部分の脱着にも支障を来さない筆記具を提供する。【解決手段】軸筒２０の先端に、筆記先端４５を保持する口金５０が装着されている筆記具１０において、前記軸筒２０の把持部分は、軸筒２０とは別材質で弾性を有するグリップ部３０で被覆されているとともに、前記口金５０の外周に、前記グリップ部３０とは別体で弾性を有する環状の滑り止め部材５３を設ける。【選択図】  図１
2005007584.tif 000002
【特許請求の範囲】
【請求項１】
軸筒の先端に、筆記先端を保持する口金が装着されている筆記具であって、
前記軸筒の把持部分は、軸筒とは別材質で弾性を有するグリップ部で被覆されているとともに、
前記口金の外周に、前記グリップ部とは別体で弾性を有する滑り止め部材を設けたことを特徴とする筆記具。
【請求項２】
前記口金の外周には、溝状の固定溝が設けられているとともに、
前記滑り止め部材は環状に形成され、前記固定溝に嵌設されていることを特徴とする請求項１記載の筆記具。
【請求項３】
前記固定溝の後端には、後方に向かって同固定溝の深さが浅くなる傾斜面を形成したことを特徴とする請求項２記載の筆記具。
【請求項４】
前記口金は前方に向かって外径が漸次縮径するとともに、前記滑り止め部材を、口金の前方からスライドさせることで固定溝に嵌合させることを特徴とする請求項１、２又は３記載の筆記具。
【請求項５】
前記滑り止め部材は、シリコーンゴム製であることを特徴とする請求項１、２、３又は４記載の筆記具。
【発明の詳細な説明】
【０００１】
【発明の属する技術分野】
本発明は、軸筒の把持部分に設けたグリップ部とは別に、口金部分にも滑り止め部材を設けた筆記具に関する。
【０００２】
【従来の技術】
従来、ボールペンやシャープペンシルなどの筆記具においては、筆記の際の把持部分を、滑り止め目的でゴムなどの弾性を有する材質で被覆してグリップ部とすることが広く行われている。
このようなグリップ部は、筆記具を正しく把持する場合には滑り止めの効果を十分に発揮する。しかし、筆記具の先端近くを把持する癖を有する者が、特に子供を中心に少なからず存在する。このような者にとっては、通常の把持部分に設けられたグリップ部は役に立たない。
【０００３】
このような問題点に対し、下記特許文献１に示すシャープペンシルに関する従来技術が提案されている。この従来技術においては、グリップ部が口金に取り付けられることとしている。これにより、筆記具の先端近くを持つ場合にも滑り止め効果を発揮させることとしている。
【０００４】
【特許文献１】
特開２０００−２８９３７８号公報
【０００５】
【発明が解決しようとする課題】
上記従来技術によれば、グリップ部は、口金に取り付けることとしている。この従来技術からは、グリップ部の構造は以下の２通りに把握される。
（１）口金にはグリップ部が装着されているが、本来の把持部分には装着されない。すなわち、グリップ部は口金にのみ装着される。
【０００６】
（２）口金にはグリップ部が装着されており、このグリップ部は本来の把持部分をも覆う。すなわち、グリップ部は、本来の把持部分に加え、口金の一部をもカバーする。
ここで、上記（１）の場合には、本来の把持部分にはグリップ部は装着されていないことになるため、正しく筆記具を把持する場合には滑り止め効果は発揮されない。
【０００７】
また、上記（２）の場合には、本来の把持部分をもグリップ部はカバーしているため、正しく筆記具を把持する場合にも滑り止め効果は発揮される。しかし、この（２）の構造においては、グリップ部は軸筒と口金との両方を覆うことになる。このため、筆記具の設計上、口金を軸筒に対し脱着可能としたい場合にこの構造を採用しようとすると、上記従来技術の実施例にも記載されているとおり、口金を軸筒から取り外すときにグリップ部も一緒に軸筒から取り外されるような設計とせざるを得ない。このような設計は筆記具の製造工程上も難があり、また、実用上も口金の脱着が煩雑ないし困難となる。そればかりでなく、グリップ部が軸筒に対して固定されていないため、グリップ部が使用中に軸筒からずれる可能性があり、グリップ部の滑り止め効果についても懸念がある。
【０００８】
そこで、本発明は、本来の把持部分におけるグリップ部の滑り止め効果は保ちつつ、口金部分を把持する場合においても滑り止め効果を有し、かつ、口金部分の脱着にも支障を来さない筆記具の提供を目的とする。
【０００９】
【課題を解決するための手段】
上記の課題に鑑み、本発明は、軸筒２０の先端に、筆記先端４５を保持する口金５０が装着されている筆記具１０であって、前記軸筒２０の把持部分は、軸筒２０とは別材質で弾性を有するグリップ部３０で被覆されているとともに、前記口金５０の外周に、前記グリップ部３０とは別体で弾性を有する滑り止め部材５３を設けたことを特徴とする。
【００１０】
ここで、「口金５０」については、金属製、樹脂製、その他材質は問わない。
なお、口金５０が筆記先端４５を保持するということは、口金５０に筆記先端４５が固定されている場合のみならず、たとえば前後方向に移動可能な筆記先端４５が筆記時に口金５０の先端から突出するような構造において、その口金５０が筆記先端４５を支持するような場合も含む。また、筆記先端４５が単に横方向にぐらつかないように口金５０が筆記先端４５を支持するような場合も含む。
【００１１】
また、「滑り止め部材５３」については、上記口金５０と別部品として形成して、後から口金５０に固定することとしても、また、二色成形又はインサート成形により口金５０と同時に形成することとしても、いずれでもよい。
また、滑り止め部材５３は「弾性を有する」こととなっているが、これは、口金５０を形成する材質よりも弾性に富むことを要する。また、軸筒２０の把持部分を被覆する「グリップ部３０」についても、軸筒２０を形成する材質よりも弾性に富むことを要する。
【００１２】
滑り止め部材５３及びグリップ部３０を形成する材質については上記のように弾性を有するものであれば特に限定はない。ただし、具体的には、成形のしやすさ、口金５０及び軸筒２０への装着の容易さ、並びに使用時のベタつき回避等の観点から、シリコーンゴムを用いるのが望ましい。
上記により、軸筒２０における本来の把持部分にグリップ部３０が設けられ、口金５０にも滑り止め部材５３が設けられている。これによって、筆記具１０を正しく把持する場合にも、また、筆記具１０の先端近くを把持する場合にも、同様に滑り止め効果が得られる。さらに、口金５０の滑り止め部材５３は軸筒２０のグリップ部３０とは別体であるため、口金５０を脱着する場合にも何らの支障も来さないこととなる。
【００１３】
ここで、本発明においては、上記の構成に加えて、前記口金５０の外周には、溝状の固定溝５１が設けられているとともに、前記滑り止め部材５３は環状に形成され、前記固定溝５１に嵌設されていることが望ましい。
上記のように形成することで、滑り止め部材５３は口金５０に確実に装着され、脱落の可能性を著しく減じることが可能となる。
【００１４】
また、本発明においては、上記の構成に加えて、前記固定溝５１の後端には、後方に向かって同固定溝５１の深さが浅くなる傾斜面５２を形成することが望ましい。ここで、筆記具１０の口金５０は通常先細りとなっているため、滑り止め部材５３は構造的に前方方向へ脱落しやすくなっている。そこで、このような傾斜面５２を設けることで、滑り止め部材５３が膨潤するなどして前後方向にずれる力が作用する場合であっても、前方よりも後方へ移動しやすくなっており、滑り止め部材５３がが前方へ脱落する可能性を減少させることとなっている。
【００１５】
さらに、本発明においては、上記の構成に加えて、前記口金５０は前方に向かって外径が漸次縮径するとともに、前記滑り止め部材５３を、口金５０の前方からスライドさせることで固定溝５１に嵌合させることを特徴とする。
すなわち、口金５０が先細りとなっていることから、滑り止め部材５３を前方から装着することが容易となっている。また、滑り止め部材５３は弾性に富むことから、装着の際に弾性変形させて固定溝５１まで移動させることが容易となっている。
【００１６】
【発明の実施の形態】
以下、本発明の１の実施の形態を、図面を参照しつつ説明する。
図１は、本実施の形態に係る筆記具１０を斜視図で示したものである。本図に示すように、本実施の形態に係る筆記具１０は、ノック式ボールペンとして形成されている。
【００１７】
硬質樹脂製の軸筒２０の前半の把持部分には、軸筒２０より弾性に富むグリップ部３０が設けられている。また、軸筒２０の先端には、金属製の口金５０が螺着されている。口金５０後縁付近の外周には、シリコーンゴム製の環状の滑り止め部材５３が装着されている。口金５０先端の開口部からは、ボールペンチップとして形成されている筆記先端４５が出入り可能となっている。一方、軸筒２０の後端には、ノックボタン６０が設けられている。このノックボタン６０を押すことで、筆記先端４５が口金５０から突出し、また収納されることとなっている。
【００１８】
図２は、本実施の形態に係る筆記具１０の先端部分を正面断面図で示したものである。
軸筒２０の内部には、インキを収容するリフィール４０が納められている。このリフィール４０の先端に、筆記先端４５が装着されている。一方、軸筒２０前半の把持部分の外周は、シリコーンゴム製の外被体３１で覆われている。この外被体３１と軸筒２０外周との間には、ゲル状物質３２が位置している。このゲル状物質３２と外被体３１とによりグリップ部３０が形成されている。すなわち、このグリップ部３０においては、外被体３１を形成するシリコーンゴムの弾性に加えて、ゲル状物質３２により把持した際の手指の形状に合わせた把持部分の変形が可能となっており、把持感の向上が図られている。なお、このゲル状物質３２もシリコーンを原料としている。また、このようなゲル状物質３２の他にも、空気若しくは窒素ガスその他の不活性ガスなどの気体、又はシリコーンオイルその他の油若しくは水などの液体をこの外被体３１に封入することができる。
【００１９】
また、軸筒２０の先端には、滑り止め部材５３が装着された口金５０が螺着されている。
図３は、口金５０を一部断面斜視図で示したものである。
図２及び図３に示すように、口金５０の後縁部分には溝状の固定溝５１が設けられており、この固定溝５１に滑り止め部材５３が嵌設されている。この固定溝５１の後端部分には、後方に向かって固定溝５１の深さが浅くなるような傾斜面５２が形成されている（図２参照）。
【００２０】
図４は、滑り止め部材５３の口金５０への装着の様子を斜視図で示したものである。
口金５０は先細りの形状となっている。この口金５０の先端側から、滑り止め部材５３を弾性変形させつつ後方へ向かって押し込むと、固定溝５１の位置で復元力により嵌入し、固定されることとなる（図２及び図３参照）。そして、滑り止め部材５３が高温などにより膨張した際でも、固定溝５１にある傾斜面５２の作用により、先端方向よりも後端方向へ移動する傾向が生じる。これにより、先細りとなっている口金５０の先端方向へ滑り止め部材５３が脱落する可能性を減じることとしている。
【００２１】
図５は、口金５０の軸筒２０への螺着の様子を斜視図で示したものである。滑り止め部材５３を装着した口金５０は、軸筒２０の先端へ螺着されることで、筆記具１０が形成されることとなる（図１参照）。
【００２２】
【発明の効果】
本発明は、上記の通り構成されているので、以下に記す効果を奏する。
すなわち、本来の把持部分におけるグリップ部の滑り止め効果は保ちつつ、口金部分を把持する場合においても滑り止め効果を有し、かつ、口金部分の脱着にも支障を来さない筆記具を提供することが可能となる。
【図面の簡単な説明】
【図１】本発明の１の実施の形態に係る筆記具を斜視図で示したものである。
【図２】本発明の１の実施の形態に係る筆記具の先端部分を正面断面図で示したものである。
【図３】本発明の１の実施の形態に係る筆記具の口金を一部断面斜視図で示したものである。
【図４】本発明の１の実施の形態に係る筆記具において、滑り止め部材の口金への装着の様子を斜視図で示したものである。
【図５】本発明の１の実施の形態に係る筆記具において、口金の軸筒への螺着の様子を斜視図で示したものである。
【符号の説明】
１０  筆記具                ２０  軸筒
３０  グリップ部
３１  外被体                ３２  ゲル状物質
４０  リフィール            ４５  筆記先端
５０  口金
５１  固定溝                ５２  傾斜面
５３  滑り止め部材
６０  ノックボタン
【図１】
2005007584.tif 000003
【図２】
2005007584.tif 000004
【図３】
2005007584.tif 000005
【図４】
2005007584.tif 000006
【図５】
2005007584.tif 000007